(57)【要約】【課題】遊技機の外部から挿入する特殊器具によって、異常な光を入射させる不正使用行為の防止に役立てる。【解決手段】発光素子と受光素子との向かい合う一対づつから成る第１、２メダル検知センサーの制御回路へ、投入メダルの通過による遮光時間よりも短かいタイミングのもとで、発光素子をパルス駆動する発振器と、その発振器による発光素子の発光駆動信号と受光素子の受光出力信号との位相比較器を装備させ、その比較器による比較結果が位相の不一致として、発光素子が発光していないにも拘らず、受光素子が受光している場合に限り、投入メダルが正規に通過した場合の検知出力信号と相違する検知出力信号を出すように設定した遊技機のメダルセレクターである。【選択図】  図２
2007267903.tif 000002
【特許請求の範囲】
【請求項１】
メダル通路（１０）を挟んで向かい合う発光素子（ＰＳ１−ａ）（ＰＳ２−ａ）と受光素子（ＰＳ１−ｂ）（ＰＳ２−ｂ）との一対づつから成る第１、２メダル検知センサー（ＰＳ１）（ＰＳ２）により、投入メダル（Ｍ）の通過方向と通過所要時間並びに投入枚数を検知する遊技機のメダルセレクターにおいて、
上記第１、２メダル検知センサー（ＰＳ１）（ＰＳ２）と対応する第１、２制御回路（Ｉ）（II）中へ、投入メダル（Ｍ）の通過による遮光時間よりも短かいタイミングのもとで、その発光素子（ＰＳ１−ａ）（ＰＳ２−ａ）をパルス駆動する発振器（１３−１）（１３−２）と、
その発振器（１３−１）（１３−２）による発光素子（ＰＳ１−ａ）（ＰＳ２−ａ）の発光駆動信号と、受光素子（ＰＳ１−ｂ）（ＰＳ２−ｂ）の受光出力信号との位相比較器（１４−１）（１４−２）とを装備させ、
その比較器（１４−１）（１４−２）による比較結果が位相の不一致として、発光素子（ＰＳ１−ｂ）（ＰＳ２−ｂ）の発光していないにも拘らず受光素子（ＰＳ１−ｂ）（ＰＳ２−ｂ）が受光している場合に限り、投入メダル（Ｍ）が正規に通過した場合の検知信号と相違する検知信号を出力するように設定したことを特徴とする遊技機のメダルセレクター。
【請求項２】
第１、２メダル検知センサー（ＰＳ１）（ＰＳ２）と対応する第１、２制御回路（Ｉ）（II）の相互間において、その発振器（１３−１）（１３−２）の発振周波数だけを相違させたことを特徴とする請求項１記載の遊技機のメダルセレクター。
【発明の詳細な説明】
【技術分野】
【０００１】
本発明は遊技機における異常な光の入射による不正使用行為を防止できるメダルセレクターに関する。
【背景技術】
【０００２】
回胴式遊技機（スロットマシン）はメダルの投入により遊技を開始でき、入賞内容に応じて所定枚数のメダルを払い出すようになっており、そのメダルを選別して、投入枚数をカウントするためのメダルセレクターが、開閉扉の裏面に取り付けられている。
【０００３】
図５、６はメダルセレクターのメダル通路（１０）を示しており、その出口付近へ臨むセンサー基板（１１）上に並列設置された第１、２メダル検知センサー（ＰＳ１）（ＰＳ２）の２個一対が、その検知順序によって投入メダル（Ｍ）の通過方向と通過所要時間（速度）を検知し、不正使用行為を防止できようになっている。図７はその検知出力信号のタイミングチャートであり、高レベルがメダル（Ｍ）の通過するＯＮ状態を示す正論理になっている。
【０００４】
茲に、第１、２メダル検知センサー（ＰＳ１）（ＰＳ２）は何れもフォトインターラプター（透過型フォトセンサー）として、メダル通路（１０）を挟んで向かい合う発光素子（ＰＳ１−ａ）（ＰＳ２−ａ）と受光素子（ＰＳ１−ｂ）（ＰＳ２−ｂ）との一対から成り、投入メダル（Ｍ）の通過によって起る光量の変化を検知する方式である。
【０００５】
そのため、投入メダル（Ｍ）の材質如何ではこれを正確に検知し難くなる磁気方式や、そのメダル（Ｍ）との接触不良・摩耗などによる検知不良を招来しやすいマイクロスイッチ類の機械方式に比して、優れた方式のメダル検知センサー（ＰＳ１）（ＰＳ２）であると言え、既に広く普及している。
【発明の開示】
【発明が解決しようとする課題】
【０００６】
ところが、従来の上記フォトインターラプターから成るメダル検知センサー（ＰＳ１）（ＰＳ２）では、その発光素子（ＰＳ１−ａ）（ＰＳ２−ａ）を一定光として発光させ、受光素子（ＰＳ１−ｂ）（ＰＳ２−ｂ）からの言わば単純な受光出力信号のみを、遊技機のメイン基板（図示省略）により検証して、メダル通過の有無を判定しているに過ぎない。
【０００７】
その結果、メダル（Ｍ）と同様な光を透過しない各種有体物であるならばともかく、上記発光素子（ＰＳ１−ａ）（ＰＳ２−ａ）以外の所謂雑音となる異常な光が、遊技機の外部から不正に入射された場合でも、メダル（Ｍ）の通過有りとして誤認検知してしまうおそれがある。
【０００８】
例えば、使用者がメダル（Ｍ）を投入せずに、そのメダル検知センサー（ＰＳ１）（ＰＳ２）自身の正規な発光素子（ＰＳ１−ａ）（ＰＳ２−ａ）と異なる赤外光などの発光素子（ＬＥＤ）が取り付けられた特殊器具を、メダル通路（１０）の入口から意図的に挿入して、そのメダル通過と同じタイミングのもとで点滅させることにより、図７のような検知出力信号を生成する不正行為に及んだ場合、これを上記メダル検知センサー（ＰＳ１）（ＰＳ２）では正確に検知することができず、その使用者に不正なクレジットを獲得されてしまうこととなる。
【０００９】
上記発光素子（ＰＳ１−ａ）（ＰＳ２−ａ）の光量が常時一定不変である限り、たとえ上記メダル検知センサー（ＰＳ１）（ＰＳ２）の設置個数を増加させたとしても、又たとえその受光時と遮光時との出力比（Ｓ／Ｎ比）を大きく確保したとしても、上記した外部からの不正使用行為を防止することは到底不可能である。
【課題を解決するための手段】
【００１０】
本発明はこのような課題の改良を目的としており、その目的を達成するために、請求項１ではメダル通路を挟んで向かい合う発光素子と受光素子との一対づつから成る第１、２メダル検知センサーにより、投入メダルの通過方向と通過所要時間並びに投入枚数を検知する遊技機のメダルセレクターにおいて、
【００１１】
上記第１、２メダル検知センサーと対応する第１、２制御回路中へ、投入メダルの通過による遮光時間よりも短かいタイミングのもとで、その発光素子をパルス駆動する発振器と、
【００１２】
その発振器による発光素子の発光駆動信号と、受光素子の受光出力信号との位相比較器とを装備させ、
【００１３】
その比較器による比較結果が位相の不一致として、発光素子の発光していないにも拘らず受光素子が受光している場合に限り、投入メダルが正規に通過した場合の検知信号と相違する検知信号を出力するように設定したことを特徴とする。
【００１４】
又、請求項２では上記請求項１に従属する発明の構成として、第１、２メダル検知センサーと対応する第１、２制御回路の相互間において、その発振器の発振周波数だけを相違させたことを特徴とする。
【発明の効果】
【００１５】
請求項１の上記構成によれば、発振器が投入メダルによる遮光時間よりも短かいタイミング（高周波数）でのクロックパルス信号を発振出力して、第１、２メダル検知センサーの発光素子を駆動しており、そのパルス駆動中の経時的に変化する発光素子の発光駆動信号と、これと対応する受光素子の受光出力信号とを位相比較器により比較して、その結果発光素子が発光してないにも拘らず、受光素子が受光している位相の不一致である場合には、投入メダルが正規に通過した場合の検知出力信号と相違する検知出力信号を出すように設定しているため、冒頭に述べたような第１、２メダル検知センサー自身の正規な発光素子と異なる発光素子が取り付けられた特殊器具を使って、メダル通路へ不正に光を入射させることにより、そのメダル検知センサーがメダルの通過有りとして誤認検知させられてしまう不正使用行為を、確実に防止することができる。
【００１６】
このような効果を得るための構成としても、制御プログラムの準備が必要なマイコンを採用しておらず、第１、２メダル検知センサーの制御回路素子のみから成る結果、頗る簡素で足り、安価に提供できるのである。
【００１７】
特に、請求項２の構成を採用するならば、外部から不正に入射される発光素子が、万一第１、２メダル検知センサー自身の正規な発光駆動信号と同期して、正規の受光出力信号を出させる仕組みになっていたとしても、このような巧妙な不正使用行為を発振器の相違する発振周波数と、これに基き相違する検知出力信号の判別により、一層確実に防止することができ、メダルセレクターとしての信頼性や対応性が著しく向上する。
【発明を実施するための最良の形態】
【００１８】
以下、図面に基いて本発明の実施形態を説明すると、図１は本発明に係るメダルセレクターの機能ブロック図であり、そのメダルセレクターのセンサー基板（１１）上には第１、２メダル検知センサー（ＰＳ１）（ＰＳ２）の２個が、何れも発光素子（ＰＳ１−ａ）（ＰＳ２−ａ）と受光素子（ＰＳ１−ｂ）（ＰＳ２−ｂ）との向かい合う一対から成る互いに同じフォトインターラプターとして、メダル通路（１０）へ臨む前後位置関係に並列設置されており、投入メダル（Ｍ）の通過方向や通過所要時間（速度）を検知する。
【００１９】
上記メダルセレクターのセンサー基板（１１）は、マイコン（ＣＰＵ）を内蔵した回胴式遊技機（スロットマシン）（図示省略）のメイン基板（１２）へ接続配線されており、その第１、２メダル検知センサー（ＰＳ１）（ＰＳ２）による検知出力信号をメイン基板（１２）へ伝送する。尚、その遊技機のメイン基板（１２）がメダルの投入や払い出し、リールの回転制御、演出、入賞、その他の遊技上必要な各種処理を自動的に実行することは言うまでもない。
【００２０】
ここまでの構成は図５〜７に基き説示した従来技術と同一であるため、その図１に図６との対応符号を記入するにとどめるが、本発明の場合メダルセレクターのセンサー基板（１１）上には、上記第１、２メダル検知センサー（ＰＳ１）（ＰＳ２）のみならず、その各メダル検知センサー（ＰＳ１）（ＰＳ２）の発光素子（ＰＳ１−ａ）（ＰＳ２−ａ）をパルス駆動することにより、その発光素子（ＰＳ１−ａ）（ＰＳ２−ａ）自身からの正規な発光と、外部から不正に入射された異常な光とを識別できるようにするための発振器（１３−１）（１３−２）も実装されている。
【００２１】
又、同じくメダルセレクターのセンサー基板（１１）上には、各メダル検知センサー（ＰＳ１）（ＰＳ２）における発光素子（ＰＳ１−ａ）（ＰＳ２−ａ）の発光駆動信号と、受光素子（ＰＳ１−ｂ）（ＰＳ２−ｂ）の受光出力信号との位相比較器（１４−１）（１４−２）も装備されており、その相互間での位相が一致すれば、メダル通路（１０）のメダル非通過にある検知信号を出力する一方、上記相互間での位相が不一致であれば、同じくメダル通路（１０）のメダル通過中にある検知信号か、又は不正な入射光の検知信号を出力するようになっている。
【００２２】
これを図２の制御回路と図３の動作タイミングチャートに基いて、具体的に詳述すると、次のとおりである。その場合、上記センサー基板（１１）上には第１、２メダル検知センサー（ＰＳ１）（ＰＳ２）と対応する第１、２制御回路（Ｉ）（II）が存在しているが、これらは互いに同一であり、その両回路（Ｉ）（II）の動作も互いに同一であるため、図２、３では第１制御回路（Ｉ）とその動作のみを示すにとどめる。
【００２３】
即ち、図２に示した第１メダル検知センサー（フォトインターラプター）（ＰＳ１）の制御回路（Ｉ）において、ＩＣ１とＩＣ２から成る発振器（１３−１）の出力は２分岐され、その一方がＩＣ４の入力となり、他方がＩＣ３により論理を反転されて、ＩＣ７の入力となる。
【００２４】
ＩＣ４により２分周された発振出力はＴＲ１をスイッチングし、その出力がＰＳ１の発光素子（ＰＳ１−ａ）を駆動する信号となる。つまり、ＩＣ４の出力が高レベル（Ｈ）であれば、ＰＳ１の発光素子（ＰＳ１−ａ）は発光し、同じくＩＣ４の出力が低レベル（Ｌ）であれば、そのＰＳ１の発光素子（ＰＳ１−ａ）は消光する。
【００２５】
その場合、図３のパルス波形から示唆されるように、上記発振出力はメダル（Ｍ）の通過によるＰＳ１の遮光時間よりも短かい（速い）タイミング（高周波数）でのクロックパルス信号として、そのＰＳ１の発光素子（ＰＳ１−ａ）を発光／消光させるべく駆動するようになっている。
【００２６】
そして、このようなＰＳ１における発光素子（ＰＳ１−ａ）の発光駆動信号と、同じく受光素子（ＰＳ１−ｂ）の受光出力信号とがＩＣ５に入力される。ＩＣ５は排他的論理和（不一致回路）になっており、図３から明白なように、上記２つの入力が互いに同一である時低レベル（Ｌ）の出力を、相違する時に高レベル（Ｈ）の出力を各々出し、この値がＩＣ８の入力となる。
【００２７】
茲に、ＩＣ８はＤ−ＦＦ（データーフリップフロップ回路）と称するＩＣであって、そのＤ端子（２番ピン）に入力された信号を、ＣＬＫ端子（３番ピン）に入力される保持タイミングのもとで自己保持し、Ｑ端子（５番ピン）へ出力する機能を有する。そのＱ端子（５番ピン）の出力がＴＲ２をスイッチングし、そのＴＲ２の出力が最終的な検知出力信号として、遊技機のメイン基板（１２）へ伝送されるようになっている。
【００２８】
又、ＩＣ３とＩＣ６並びにＩＣ７は上記ＩＣ８のＣＬＫ端子（３番ピン）に入力される保持タイミングを作り出す回路として、図３のようにＰＳ１における発光素子（ＰＳ１−ａ）の上記発光駆動信号と、同じく受光素子（ＰＳ１−ｂ）の受光出力信号とが何れも低レベル（Ｌ）であった場合を除き、ＩＣ３の出力をＩＣ８のＣＬＫ端子（３番ピン）に伝送し、保持タイミングとする出力を作り出している。
【００２９】
これらＩＣ間の動作について言えば、ＩＣ６は論理和になっており、２つの入力が何れも低レベル（Ｌ）である場合にのみ、出力が低レベル（Ｌ）となる。これに反して、ＩＣ７は論理積になっており、同じく２つの入力が何れも高レベル（Ｈ）である場合にのみ、出力が高レベル（Ｈ）となる。
【００３０】
上記発光素子（ＰＳ１−ａ）の発光駆動信号と受光素子（ＰＳ１−ｂ）の受光出力信号とが何れも低レベル（Ｌ）であった場合には、ＩＣ７の出力が高レベル（Ｈ）となる条件を満たさないため、ＩＣ８への保持タイミングは出力されず、そのＩＣ８の出力が更新されない。
【００３１】
その理由を説明すると、上記発光駆動信号と受光出力信号とが何れも低レベル（Ｌ）にある区間では、メダル通路（１０）におけるメダル通過の有無が未定として、これを判別することができず、ＩＣ８の出力結果を更新し得ないからであり、そのために爾前の保持タイミングで得られた出力結果をそのまま継続させるべく、保持タイミングを出力しないようになっている。
【００３２】
上記制御回路（Ｉ）によれば、発振器（１３−１）から投入メダル（Ｍ）がＰＳ１を遮光する時間よりも短かいタイミング（高周波数）でのクロックパルス信号を発振出力して、そのＰＳ１の発光素子（ＰＳ１−ａ）を駆動しており、そのパルス駆動中の経時的に変化する発光素子（ＰＳ１−ａ）の発光駆動信号（発光量）と、これから届く受光素子（ＰＳ１−ｂ）の受光出力信号（受光量）とを位相比較器（１４−１）により比較し、その比較結果をＴＲ２から検知信号として出力するようになっているため、正規な投入メダル（Ｍ）の通過有無と遊技機の外部から不正に入射される異常な光とを明確に判別でき、その後者の不正使用行為を防止し得るのである。
【００３３】
つまり、図３（Ａ）は正規なメダル通過の場合を示しているが、この場合受光出力信号は発光駆動信号の状態に拘らず、低レベル（Ｌ）となる。
【００３４】
メダル（Ｍ）の通過区間ではそのメダル（Ｍ）によってＰＳ１が遮光されるからであり、上記信号が保持され、ＴＲ２の最終的な検知出力信号はメダル（Ｍ）の通過区間においてＯＮとなり、その出力信号のＯＮ状態を持続する。ＰＳ１の発光素子（ＰＳ１−ａ）が発光しているにも拘らず、受光素子（ＰＳ１−ｂ）が受光していないため、メダル通過中の意味として検知信号を出力するわけである。
【００３５】
他方、図３（Ｂ）は不正な入射光のある場合を示しており、この場合受光出力信号は発光駆動信号の状態に拘らず、高レベル（Ｈ）となる。不正な入射光のある区間では、発光駆動信号と受光出力信号とが何れも低レベル（Ｌ）になる条件を満たさないため、保持タイミングはＩＣ２の発振周波数と同じタイミングのもとで出力されることになり、その結果ＴＲ２の最終的な検知出力信号がパルス状となる。
【００３６】
ＰＳ１の発光素子（ＰＳ１−ａ）が発光していないにも拘らず、受光素子（ＰＳ１−ｂ）が受光している状態であるため、遊技機の外部から不正に入射された異常な光の存在を意味するものとして、所謂エラー信号を出力する。発光駆動信号が低レベル（Ｌ）として、その発光素子（ＰＳ１−ａ）の消光している条件のもとで、受光素子（ＰＳ１−ｂ）が受光しているか否かを調査しているわけである。
【００３７】
その場合、正規なメダル（Ｍ）の通過区間においてＴＲ２から出力される検知信号が、図３（Ａ）のような非パルス状であるに比し、不正な入射光のある区間において同じくＴＲ２から出力される検知信号は、同図（Ｂ）のようなパルス状をなすため、その外部からの不正使用行為を明確に判別することができる。その判別可能な検知出力信号である限り、パルス状以外のそれを採用した仕様でも勿論良い。
【００３８】
更に言えば、正規なメダル通過の場合には第１、２メダル検知センサー（ＰＳ１）（ＰＳ２）の２個一対が、そのメダル（Ｍ）の通過順序に応じて検知作用することや、メダル（Ｍ）の通過所要時間が一定であることに基いて、上記不正使用行為と判別することも可能である。
【００３９】
尚、図３（Ａ）（Ｂ）の何れにあっても、発光駆動信号が高レベル（Ｈ）となり、受光出力信号が高レベル（Ｈ）となる場合には、ＰＳ１の発光素子（ＰＳ１−ａ）が発光している一方、受光素子（ＰＳ１−ｂ）が受光している対応関係にあるため、メダル（Ｍ）の非通過状態を意味するものとして、ＴＲ２の最終的な検知出力信号はＯＦＦとなる。発光駆動信号が高レベル（Ｈ）として、その発光素子（ＰＳ１−ａ）の発光している条件のもとで、受光素子（ＰＳ１−ｂ）が受光しているか否かの調査により、メダル通過の有無を検知しているのである。
【００４０】
以上をまとめると、下記の一覧表に示すとおりである。
【００４１】
【表１】
2007267903.tif 000003
【００４２】
先には図３のタイミングチャートに基いて、第１、２メダル検知センサー（ＰＳ１）（ＰＳ２）と対応する第１、２制御回路（Ｉ）（II）が互いに同一の構成である実施形態を説明したが、その第１、２制御回路（Ｉ）（II）における発振器（１３−１）（１３−２）の発振周波数だけを図４のように相違させておくことが好ましい。
【００４３】
例えば、不正使用行為が巧妙となり、外部から特殊器具によって入射される異常な光と、ＰＳ１自身の正規な発光素子（ＰＳ１−ａ）とが、万一同じ位相の発光周波数になっているような場合、そのＰＳ１の受光素子（ＰＳ１−ｂ）は正規な発光素子（ＰＳ１−ａ）から届いた光と同じ受光信号を出力する結果となり、不正に入射された光と判別して検知することができない。
【００４４】
この点、上記第１、２制御回路（Ｉ）（II）の発振器（１３−１）（１３−２）から出力する発振周波数を互いに相違させておけば、そのタイミングチャートを示す図４から明白なように、保持タイミングも互いに相違するため、そのＴＲ２の最終的な検知出力信号が互いに相違する結果となり、これをメイン基板（１２）での検証により、不正使用行為としてエラー信号を発することができるのである。
【００４５】
その場合、互いに相違する発振周波数の設定は、その発振器（１３−１）（１３−２）の構成部品であるＲ１、Ｃ１、Ｒ５、Ｃ２の定数を相違させることによって可能となる。
【００４６】
何れにしても、本発明の目的を達成するために採用された構成は言わばハードウェアーのみとして、第１、２メダル検知センサー（ＰＳ１）（ＰＳ２）を条件制御する無接点シーケンス回路から成り、制御プログラムの必要なマイコン（ＣＰＵ）を使用していないので、安価に提供できる利点がある。
【００４７】
尚、第１、２メダル検知センサー（ＰＳ１）（ＰＳ２）と対応する第１、２制御回路（Ｉ）（II）をメダルセレクターのセンサー基板（１１）上へ装備させる旨として説明したが、これはメダルセレクター自身に内蔵設置しても良く、又遊技機のメイン基板（１２）上に装備させてもさしつかえない。その設置個所は自由に選定することができる。
【図面の簡単な説明】
【００４８】
【図１】本発明に係るメダルセレクターの機能ブロック図である。
【図２】本発明に係る第１、２メダル検知センサーの制御回路図である。
【図３】同じく動作を示すタイミングチャートである。
【図４】本発明の別な実施形態を示す図３に対応する動作のタイミングチャートである。
【図５】従来のメダルセレクターにおけるメダル通路の一部を抽出して示す側面図である。
【図６】図５の平面図である。
【図７】従来の動作を示すタイミングチャートである。
【符号の説明】
【００４９】
（１０）・メダル通路
（１１）・メダルセレクターのセンサー基板
（１２）・メイン基板
（１３−１）（１３−２）・発振器
（１４−１）（１４−２）・位相比較器
（ＰＳ１）・第１メダル検知センサー
（ＰＳ２）・第２メダル検知センサー
（ＰＳ１−ａ）（ＰＳ２−ａ）・発光素子
（ＰＳ１−ｂ）（ＰＳ２−ｂ）・受光素子
（Ｍ）・メダル
（Ｉ）・第１制御回路
（II）・第２制御回路
【図１】
2007267903.tif 000004
【図２】
2007267903.tif 000005
【図３】
2007267903.tif 000006
【図４】
2007267903.tif 000007
【図５】
2007267903.tif 000008
【図６】
2007267903.tif 000009
【図７】
2007267903.tif 000010